(57)【特許請求の範囲】
【請求項１】
支持枠体と、遊技盤が装着され同支持枠体に対して左右方向に開閉可能に支持された遊技機本体と、前記遊技盤の前面に配置され前記遊技機本体に対して左右方向に開閉可能に支持されるとともに該遊技盤の遊技面を窓穴を通して目視可能に覆う前面プレートとを備え、
前記支持枠体側には該支持枠体から遊技機前面方向に張り出した第１のブラケットを形成するとともに前記遊技機本体側には該第１のブラケットと上下方向に重複配置される第２のブラケットを形成し、いずれか一方のブラケットに下方に向かって突出する第１の回動軸を形成するとともに、他方のブラケットに前記第１の回動軸が挿通される軸受け穴を形成し、前記第１の回動軸を前記軸受け穴に挿通させた状態で該第１の回動軸が前記両ブラケットの下方に突出される一方、前記遊技機本体が前記第１の回動軸を中心に前記支持枠体に対して回動可能に支持されている遊技機において、
前記前面プレートは前記第１の回動軸に対して前後方向にずれた位置に配置される第２の回動軸を回動中心として前記遊技機本体に対して支持され、該遊技機本体の開放方向と同方向に開放可能とされ、
前記前面プレートには所定の開放位置に達するまでは当接せず、所定の開放位置に達することで前記第１の回動軸と当接してそれ以上の同前面プレートの開放を阻止する当接部を形成したことを特徴とする遊技機。
【請求項２】
前記遊技機はパチンコ機であることを特徴とする請求項１に記載の遊技機。
【発明の詳細な説明】
【０００１】
【発明の属する技術分野】
本発明は、パチンコ機やスロットマシン等の遊技機に関し、特に遊技機本体の前面をカバーするガラス扉枠等の前面プレートについて特徴的な構造を有する遊技機に関するものである。
【０００２】
【従来の技術】
従来から例えばパチンコ機では遊技盤の遊技面を覆うガラス扉枠が遊技機本体の前枠に対して片持ちに支持され左右方向に開閉するようになっており、遊技面の釘の調整等の作業がしやすくなっている。
ところが、ガラス扉枠が何ら制限なしに自由に回動するならば回動しすぎて隣のパチンコ機の領域に侵入してしまうこともあり、隣に遊技客がいた場合には極めて邪魔となる。そのため、ガラス扉枠の回動しすぎを防止するためのストッパ部材をガラス扉枠の回動基部等に装着した機種があった。
【０００３】
【発明が解決しようとする課題】
しかし、このような別部材としてのストッパ部材を用意し装着することは部材点数が増え組立工程が増すこととなり結果としてコスト高を招来してしまう。
本発明は、このような従来の技術に存在する問題点に着目してなされたものである。その目的とするところは、部品点数を増やすことなくガラス扉枠等の前面プレートの回動しすぎを防止することのできる遊技機を提供することにある。
【０００４】
【課題を解決するための手段】
上記の目的を達成するために、請求項１に記載の発明では、支持枠体と、遊技盤が装着され同支持枠体に対して左右方向に開閉可能に支持された遊技機本体と、前記遊技盤の前面に配置され前記遊技機本体に対して左右方向に開閉可能に支持されるとともに該遊技盤の遊技面を窓穴を通して目視可能に覆う前面プレートとを備え、前記支持枠体側には該支持枠体から遊技機前面方向に張り出した第１のブラケットを形成するとともに前記遊技機本体側には該第１のブラケットと上下方向に重複配置される第２のブラケットを形成し、いずれか一方のブラケットに下方に向かって突出する第１の回動軸を形成するとともに、他方のブラケットに前記第１の回動軸が挿通される軸受け穴を形成し、前記第１の回動軸を前記軸受け穴に挿通させた状態で該第１の回動軸が前記両ブラケットの下方に突出される一方、前記遊技機本体が前記第１の回動軸を中心に前記支持枠体に対して回動可能に支持されている遊技機において、前記前面プレートは前記第１の回動軸に対して前後方向にずれた位置に配置される第２の回動軸を回動中心として前記遊技機本体に対して支持され、該遊技機本体の開放方向と同方向に開放可能とされ、前記前面プレートには所定の開放位置に達するまでは当接せず、所定の開放位置に達することで前記第１の回動軸と当接してそれ以上の同前面プレートの開放を阻止する当接部を形成したことをその要旨とする。
請求項１の発明のように構成すると、遊技機本体は回動軸と軸受けとによる軸受け構造によって支持枠体に支持され回動軸を中心に回動することができ、一方前面プレートは遊技機本体に対して遊技機本体の開閉方向と同方向に回動可能とされる。このとき、前面プレートを開放方向に回動していくと当接部の回動軌跡上に両ブラケットの下方に突出された第１の回動軸が配置されているため、所定の開放位置において当接部が同軸部と当接しそれ以上の開放が不能となる。
請求項２の発明では請求項１に記載された発明の構成に加え、前記遊技機をパチンコ機としたことをその要旨とする。
【０００５】
【発明の効果】
上記各請求項に記載の発明では、前面プレートが遊技機本体に対して開放方向に回動すると前面プレートの当接部が遊技機本体の第１の回動軸に所定の回動位置で当接するためちょうどよい位置でそれ以上の開放を阻止することができるとともに、回動軸をストッパとして使用することができるため遊技機本体側に別途部材を設ける必要がなく、結果としてコストの削減に貢献する。
【０００６】
【発明の実施の形態】
以下、本発明を第１種パチンコ機に応用した実施の形態について図面に基づいて説明する。尚、以下の説明で前面側或いは表面側とは遊技者が正対する側をいい、背面側或いは裏面側とはその反対側をいうものとする。また、左右とは遊技者側から見ての左右方向をいう。
図１及び図２に示すように、パチンコ機の支持枠体としての外枠１は上下左右の各枠板１ａ〜１ｄによって四角形に枠組みされた木製の枠体とされ、下部枠板１ｃ上面には幕板２が配設されている。上部枠板１ａと左部枠板１ｂとが接合されるコーナー部には第１の上部ヒンジ金具３が配設されている。図３に示すように、第１の上部ヒンジ金具３は正面視逆Ｌ字状の取り付け金具５と、同取り付け金具５から前方に張り出し形成された第１のブラケット７とより構成されている。第１のブラケット７の先端寄りには円形の透孔８が形成されている。
尚、幕板２と左部枠板１ｂとの交差点に配設されている第１の下部ヒンジ金具９（図１及び図２参照）は上部ヒンジ金具３と若干形状が異なるが構成要素は同一である。
【０００７】
図２に示すように、外枠１には遊技機本体４が嵌合状態に装着されている。遊技機本体４は前枠１１と同前枠１１が装着された遊技盤１２とを備えている。図１に示すように、遊技盤１２の前面にはほぼ垂直に配置された遊技面１３が形成されている。遊技面１３は前枠１１に額縁状に形成された第１の窓穴１５から前面に向かって露出されている。遊技面１３上には内レール１６、外レール１７、入賞口１８及び可変表示装置１９等が所定位置に配置された遊技領域１４が形成されている。図２に示すように、遊技盤１２の裏面側には可変表示装置１９や賞球の排出等を制御する遊技機構２０が配設されている。遊技機構２０の下方には遊技球を発射する発射モータ２１等の操作機構２２が配設されている。
【０００８】
図３、図４、図７〜図１０に示すように、前枠１１の左側上部角隅には第２の上部ヒンジ金具２３が配設されている。図３及び図４に示すように、第２の上部ヒンジ金具２３は第２のブラケットとしての前枠取り付け金具２４、ガラス扉枠取り付け金具２５及び両金具２４，２５を連結する連結金具２６より構成されている。前枠取り付け金具２４は平面長靴型に形成され先端寄りが屈曲された屈曲部２４ａとされている。同屈曲部２４ａの先端寄りには回動軸２７が下方に向かって突出形成されている。回動軸２７は前記第１の上部ヒンジ金具３の第１のブラケット７に形成された透孔８に対してその上方から下方に向かって挿通されている。ガラス扉枠取り付け金具２５は前枠取り付け金具２４よりも若干小振りに形成されており、先端寄りが屈曲された屈曲部２５ａとされている。同屈曲部２５ａの先端寄りには円形の透孔２９が形成されている。
図１に示すように、前枠１１の左側下部角隅には第２の下部ヒンジ金具２８が配設されている。第２の下部ヒンジ金具２８は第２の上部ヒンジ金具２３と若干形状が異なりガラス扉枠取り付け金具２５に対応する構成要素は備えていない。このような構成とされている結果、前枠１１は第２の上部ヒンジ金具２３が第１の上部ヒンジ金具３（の第１のブラケット７）に軸支され、第２の下部ヒンジ金具２８が第１の下部ヒンジ金具９に軸支されることによって外枠１に対して回動可能かつ片持ちに支持される。第１の上部ヒンジ金具３の第１のブラケット７、透孔８、第２の上部ヒンジ金具２３のガラス扉枠取り付け金具２５及び回動軸２７によって本発明の軸受け構造が構成されている。
【０００９】
図１に示すように、前枠１１の前面にはガラス扉枠３１が開閉可能に配設されている。ガラス扉枠３１は前枠２のほぼ上半分を占め、合成樹脂製の本体３２の裏面に金属パネル３３を貼着した二重構造とされている。ガラス扉枠３１には額縁状に形成された第２の窓穴３４が形成されており、同第２の窓穴３４にはガラス板３１ａが嵌め込まれている。
図１、図４、図６、図８〜図１０に示すように、ガラス扉枠３１の左側上部角隅には本体３２前面に対して後退して一体成形された凹部としての切り欠き部３５が形成されている。切り欠き部３５は背面壁３６、斜壁３７及び棚３８によって三方から包囲されている。当接部としての背面壁３６には上下方向に延びる弧状断面の溝３９が形成されている。ガラス扉枠３１が開放方向に回動されることで前記回動軸２７が溝３９内周面に当接する。
【００１０】
図３〜図５に示すように、ガラス扉枠３１の左側上部角隅には上部ヒンジ部材４１が配設されている。上部ヒンジ部材４１はガイドプレート４２、可動軸４３及びコイルスプリング４４より構成されている。断面チャンネル状のガイドプレート４２は金属パネル３３の前面側に配設され、上下の張り出し部４２ａ間に可動軸４３が昇降可能に挿通されている。可動軸４３の下端は折り曲げ形成された折り曲げ部４３ａとされており、同折り曲げ部４３ａは金属パネル３３の裏面側に突出させられている。金属パネル３３の裏面であって同折り曲げ部４３ａの突出位置の上方には掛止爪４５が形成されている。コイルスプリング４４は同折り曲げ部４３ａ先端と掛止爪４５間に配設され可動軸４３を上方に向かって付勢している。
【００１１】
図１、図３、図４及び図６に示すように、ガラス扉枠３１の本体３２及び金属パネル３３には前記掛止爪４５の直上位置において横方向にスリット４７が形成されている。同スリット４７には前記第２の上部ヒンジ金具２３のガラス扉枠取り付け金具２５が配置されており、ガラス扉枠取り付け金具２５の屈曲部２５ａに形成された透孔２９に可動軸４３が挿入されている。尚、詳しい説明は省略するが、ガラス扉枠３１左側下部角隅には下部ヒンジ部材４９が配設されており（図１参照）、ガラス扉枠３１側のヒンジ金具が前枠１１側の図示しないヒンジ金具に軸支されている。その結果、ガラス扉枠３１は上部ヒンジ部材４１と、下部ヒンジ部材４９によって軸支されることによって前枠１１に対して回動可能かつ片持ちに支持される。
また、可動軸４３はコイルスプリング４４の付勢力に抗して下方に押し下げられることでガラス扉枠取り付け金具２５との係合が解除されるためガラス扉枠３１を前枠１１から取り外すことが可能となる。
【００１２】
ガラス扉枠３１の下方には上部カバープレート５１が装着されている。上部カバープレート５１は前枠１１に対して図示しないヒンジ金具によって片持ち支持され同前枠１１に対して開閉可能とされている。上部カバープレート５１は前方に突出した上受け皿５２を有している。
上部カバープレート５１の下方には下部カバープレート５３が配設されている。下部カバープレート５３は前枠１１に対して固着されている。下部カバープレート５３は前方に突出した下受け皿５４を有している。下受け皿５４は主として上受け皿５２に貯留しきれなかった遊技球を貯留するものである。下受け皿５４の右側方には操作ハンドル５５が取付けられている。
【００１３】
次に、このように構成された上記実施の形態のパチンコ機の作用について説明する。
図１、図７及び図９に示すガラス扉枠３１が前枠１１に対して閉塞されている状態から錠５６（図１参照）を解除してガラス扉枠３１を開放させていく。ガラス扉枠３１は第２の上部ヒンジ部材４１側において可動軸４３を回動中心として回動し、下部ヒンジ部材４９側において図示しない可動軸を回動中心として（両軸は同心に配置されている）回動していく。図８及び図１０に示すように、ガラス扉枠３１がほぼ９０度回動された時点で切り欠き部３５に形成された背面壁３６の溝３９内周面に回動軸２７の側面が当接し、それ以上のガラス扉枠３１の開放方向への回動を阻止する。
【００１４】
このように構成することにより本実施の形態は次のような効果を奏する。
（１）前枠１１を回動させる回動軸２７がそのままガラス扉枠３１を回動させる際のストッパとして使用することができ、別途ガラス扉枠３１の回動を阻止する部材を前枠１１側に設ける必要がないため結果としてコスト削減に貢献する。
（２）切り欠き部３５はガラス扉枠３１の本体３２に一体成形によって形成されるため、回動軸２７と当接する別途の部材をわざわざ用意する必要がなく、組立工程が簡略化され結果としてコスト削減に貢献する。
（３）ガラス扉枠３１は前枠１１の上半分のほぼ全域をカバーするように大型に形成されているため、何ら工夫がなければガラス扉枠３１を回動させた場合に前枠１１の回動基部寄りの前方に配置された回動軸２７に当接してガラス扉枠３１を十分開放することができなくなってしまう。一方、回動軸２７に当接しないように完全にガラス扉枠３１角隅を切り欠いてしまうと方形に形成したガラス扉枠３１のその部分だけがなにもない空間となってしまいデザイン的に統一がとれないで違和感を感じてしまう。このようにガラス扉枠３１（本体３２）前面から奥まった位置に後退した切り欠き部３５を形成するようにしたため、ガラス扉枠３１のデザインを損なうことなく、かつ十分ガラス扉枠３１を開放させることが可能になった。
（４）ガラス扉枠３１が回動されて背面壁３６のに当接するとちょうど溝３９に回動軸２７は嵌合される。回動軸２７は溝３９によってぐらつきがなく保持されるため開放したガラス扉枠３１の安定がよい。
（５）丈夫な鋼製の回動軸２７とガラス扉枠３１の本体３２と一体成形された切り欠き部３５とによってガラス扉枠３１の回動を阻止するようにしているため、きわめて堅牢であり、かつ狂いなくまた脱落することなく経年使用することが可能である。
【００１５】
尚、この発明は、次のように変更して具体化することも可能である。
・図１１及び図１２に示すように、背面壁３６に貫通孔５７を透設し、同貫通孔５７に先端に当接板５８を遊着したボルト５９を挿入し一対のナット６０で同ボルト５９を固定するようにしてもよい。このように構成することで２つのナット６０によってボルト５９の固定位置を調整しもって当接板５８の進出量を変更することが可能である。これによって経年使用によるガラス扉枠３１の開放量の狂いに対応したり機種毎に状が異なる場合のガラス扉枠３１の開放量の調節が可能となる。
・上記実施の形態ではガラス扉枠３１を開放する際の所定位置までの開放について例として挙げたが、遊技盤１２の前面をカバーする前面プレートであればよいことから下部カバープレート５３を前枠１１を回動させる下部の回動軸と当接して所定位置まで開放できるように上記切り欠き部３５と同様の構造を設けるようにしてもよい。
・回動軸２７は前枠１１の第２の上部ヒンジ金具２３側に設けられていたが、逆に外枠１側の第１の上部ヒンジ金具３に設けるようにしてもよい。
・回動軸２７はガラス扉枠３１の前方に配置されていた。つまり下方に向かって突出されている構造であるが、同軸２７は下方に向かって突出されると同時に上方に向かって突設される突設部を有するような構造であっても構わない。
・背面壁３６に形成した溝３９は必ずしもなくともよい。また、溝３９の形状は上記実施の形態のものに限定されない。
・本発明において「回動軸の軸部と同凹部内の当接部とが当接」とは必ずしも軸部と当接部との直接的な当接を意味しない。例えば、回動軸２７には溝３９と当接させる際に別部材を介在させるようにしてもよい。例としては、軸部の周囲に可撓性（例えば合成ゴム製）の筒部材を装着するようにして、当接時の衝撃を和らげるようにしてもよい。
・本発明はパチンコ機以外にもスロットマシン、アレパチ、アレンジボール等の遊技機にも応用可能である。その他、本発明の趣旨を逸脱しない態様で実施することは自由である。
【００１６】
上記実施の形態から把握できる本発明のその他の技術的思想について下記に付記として説明する。
（１）前記当接部は前記回動軸との当接位置が前後方向に変更可能であることを特徴とする請求項１又は２に記載の遊技機。
（２）前記前面プレートは遊技盤の前面を封塞するガラス扉枠であって、同ガラス扉枠は遊技機本体の上半身全域を覆っていることを特徴とする請求項１又は２若しくは付記１のいずれかに記載の遊技機。
（３）前記支持枠体は方形とされ、同支持枠体側の前記軸受け構造は同支持枠の左右いずれかの縦枠板に形成されていることを特徴とする請求項１又は２若しくは付記１又は２のいずれかに記載の遊技機。
（４）前記回動軸の軸部には前記当接部と当接する可撓性の部材を装着したことを特徴とする請求項１又は２若しくは付記１〜３のいずれかに記載の遊技機。（５）前記回動軸は前記両ブラケットから上下両方向に対して突出されていることを特徴とする請求項１又は２若しくは付記１〜４のいずれかに記載の遊技機。
【００１７】
【図面の簡単な説明】
【図１】  本発明の実施の形態のパチンコ機の正面図。
【図２】  同じく側面図。
【図３】  各ヒンジ金具等の連結関係を説明する斜視説明図。
【図４】  ガラス扉枠を開放して裏面から示した部分斜視図。
【図５】  前枠とガラス扉枠との連結部分の要部断面図。
【図６】  ガラス扉枠に形成した切り欠き部を説明する要部斜視図。
【図７】  同じパチンコ機の部分平面図。
【図８】  同じパチンコ機のガラス扉枠を開放して示す一部破断部分平面図。
【図９】  同じパチンコ機の一部破断部分拡大平面図。
【図１０】  同じパチンコ機のガラス扉枠を開放して示す部分側面図。
【図１１】  他の実施の形態のパチンコ機の切り欠き部を説明する要部斜視図。
【図１２】  図１１の切り欠き部の部分平面図。
【符号の説明】
１…支持枠体としての外枠、３…第１の上部ヒンジ金具、７…第１のブラケット、１１…前枠、１２…遊技盤、２３…第２の上部ヒンジ金具、２４…第２のブラケットとしての前枠取り付け金具、２５…ガラス扉枠取り付け金具、２７…回動軸、３１…前面プレートとしてのガラス扉枠、３５…凹部としての切り欠き部、３６…当接部としての背面壁、４１…第２の上部ヒンジ部材。
【図１】
0004164971.tif 000002
【図２】
0004164971.tif 000003
【図３】
0004164971.tif 000004
【図４】
0004164971.tif 000005
【図５】
0004164971.tif 000006
【図６】
0004164971.tif 000007
【図７】
0004164971.tif 000008
【図８】
0004164971.tif 000009
【図９】
0004164971.tif 000010
【図１０】
0004164971.tif 000011
【図１１】
0004164971.tif 000012
【図１２】
0004164971.tif 000013